(57)【要約】【課題】ドアが完全に閉まっていることをユーザが認識しやすくすることができ、また、ドアフックの係止が不完全になってしまうことを回避することができる衣類処理装置を提供する。【解決手段】本実施形態に係る衣類処理装置は、衣類処理装置本体と、前記衣類処理装置本体の前面開口部を開閉するドアと、前記衣類処理装置本体に設けられている係止部と、前記ドアに回動可能に設けられており、前記ドアが前記前面開口部を閉塞した状態において、前記係止部が係止する被係止部を有するドアフックと、前記ドアフックに設けられ、前記ドアが前記前面開口部を閉塞する過程において、前記係止部が前記被係止部に接触することを阻止する接触阻止部と、を備える。【選択図】図７
2020039694.tif 000002
【特許請求の範囲】
【請求項１】
衣類処理装置本体と、
前記衣類処理装置本体の前面開口部を開閉するドアと、
前記衣類処理装置本体に設けられている係止部と、
前記ドアに回動可能に設けられており、前記ドアが前記前面開口部を閉塞した状態において、前記係止部が係止する被係止部を有するドアフックと、
前記ドアフックに設けられ、前記ドアが前記前面開口部を閉塞する過程において、前記係止部が前記被係止部に接触することを阻止する接触阻止部と、
を備える衣類処理装置。
【請求項２】
前記ドアが前記前面開口部を閉塞した状態において、前記ドアフックの回動軸は、前記係止部が前記被係止部に係止する係止位置よりも前記ドアの外周方向外側に設けられている請求項１に記載の衣類処理装置。
【請求項３】
前記係止部は、回動可能に設けられており、
前記係止部を前記被係止部に係止する係止状態に維持するとともに、前記前面開口部を閉塞している前記ドアに対し当該ドアの裏側から力が与えられることに応じて、前記被係止部によって前記係止部が回動されることを許容する付勢力を有する付勢部材をさらに備える請求項１または２に記載の衣類処理装置。
【請求項４】
前記ドアフックは、前記ドアが自重で前記前面開口部を閉塞する方向に動いたときに、前記ドアが前記前面開口部を閉塞することを阻止する閉塞阻止部として機能する請求項１から３の何れか１項に記載の衣類処理装置。
【請求項５】
前記衣類処理装置本体は、前記前面開口部が前記ドアによって閉塞される際に前記ドアフックが挿入されるドアフック挿入部を有し、
前記係止部は、前記ドアフック挿入部内に設けられており、
前記ドアフックの先端部に、当該ドアフックの前記ドアフック挿入部内への挿入を円滑にする挿入円滑部が設けられている請求項１から４の何れか１項に記載の衣類処理装置。
【請求項６】
前記係止部を第１係止部、前記被係止部を第１被係止部として備え、
さらに、前記衣類処理装置本体に設けられる第２係止部と、前記ドアフックに設けられる第２被係止部と、を備え、
前記第２被係止部に、前記ドアフックの前記ドアフック挿入部内からの抜去を円滑にする抜去円滑部が設けられている請求項５に記載の衣類処理装置。
【発明の詳細な説明】
【技術分野】
【０００１】
本発明の実施形態は、衣類処理装置に関する。
【背景技術】
【０００２】
例えば特許文献１に開示されているように、衣類に所定の処理を施す衣類処理装置の一例である洗濯機は、その前面開口部を開閉するドアを閉塞状態でロックするドアロック構造を備えている。この種のドアロック構造は、ドア側に設けられているドアフックを洗濯機本体側に係止させる構造とすることが周知である。
【先行技術文献】
【特許文献】
【０００３】
【特許文献１】特開２０１７−９９９９４号公報
【発明の概要】
【発明が解決しようとする課題】
【０００４】
しかしながら、単にドアフックを係止させるだけの従来のドアロック構造では、ドアフックが確実に係止してドアが完全に閉まっているのかどうかをユーザが認識し難く、従って、ドアが完全に閉まっていないのではという不安感をユーザに与えてしまう場合が生じ得る。また、単にドアフックを係止させるだけの従来のドアロック構造では、実際にドアフックの係止が不完全になる場合がある。
【０００５】
そこで、本実施形態は、ドアが完全に閉まっていることをユーザが認識しやすくすることができ、また、ドアフックの係止が不完全になってしまうことを回避することができる衣類処理装置を提供する。
【課題を解決するための手段】
【０００６】
本実施形態に係る衣類処理装置は、衣類処理装置本体、ドア、係止部、ドアフック、接触阻止部を備える。ドアは、前記衣類処理装置本体の前面開口部を開閉する。係止部は、前記衣類処理装置本体に設けられている。ドアフックは、前記ドアに回動可能に設けられており、前記ドアが前記前面開口部を閉塞した状態において、前記係止部が係止する被係止部を有する。接触阻止部は、前記ドアフックに設けられ、前記ドアが前記前面開口部を閉塞する過程において、前記係止部が前記被係止部に接触することを阻止する。
【図面の簡単な説明】
【０００７】
【図１】本実施形態に係る洗濯機の構成例を概略的に示すものであって、ドアが前面開口部を閉塞した状態例を示す正面図
【図２】本実施形態に係る洗濯機の構成例を概略的に示すものであって、ドアが前面開口部を開放した状態例を示す正面図
【図３】本実施形態に係るドアロック構造の構成例を概略的に示す横断平面図
【図４】本実施形態に係る爪部の構成例を概略的に示す斜視図
【図５】本実施形態に係るドアフックの構成例を概略的に示す斜視図
【図６】本実施形態に係るドアロック構造において、ドアにより前面開口部を閉塞する場合の動作例を説明するための図（その１）
【図７】本実施形態に係るドアロック構造において、ドアにより前面開口部を閉塞する場合の動作例を説明するための図（その２）
【図８】本実施形態に係るドアロック構造において、ドアにより前面開口部を閉塞する場合の動作例を説明するための図（その３）
【図９】本実施形態に係るドアロック構造において、洗濯機本体の内部からドアを開いて前面開口部を開放する場合の動作例を説明するための図
【発明を実施するための形態】
【０００８】
以下、衣類処理装置に係る一実施形態について図面を参照しながら説明する。図１および図２に例示する洗濯機１は、衣類に所定の処理、この場合、少なくとも、洗い処理、すすぎ処理、脱水処理を施す衣類処理装置の一例である。また、洗濯機１は、回転槽の回転中心軸が水平方向あるいは水平方向に対して傾斜する方向に延びる、いわゆるドラム式の洗濯機である。洗濯機１は、その外郭を構成する洗濯機本体２の内部に、貯水可能な有底円筒状の水槽、水槽内に水を供給する給水機構、水槽内の水を機外に排出する排水機構などを備えている。また、水槽の内部には、ドラム３が回転可能に設けられている。水槽の前面開口部およびドラム３の前面開口部は、洗濯機本体２の前面に設けられている前面開口部４に対向している。洗濯機本体２の前面開口部４は、この場合、円形状に開口しており、使用者は、この前面開口部４を介して、衣類などの洗濯物をドラム３内に投入可能である。
【０００９】
洗濯機１は、洗濯機本体２の前面開口部４を開閉するドア５を備えている。ドア５は、洗濯機本体２の前面開口部４に対応する円形状をなしており、ヒンジ部６によって回動可能に設けられている。ドア５には、使用者によって操作されるドアハンドル７が設けられている。この場合、ドアハンドル７は、ドア５が前面開口部４を閉塞した閉塞状態において洗濯機１の正面側から見て、ドア５の外周部の上部の右側に設けられている。また、洗濯機本体２の前面開口部４の周囲には、ドア５が前面開口部４を閉塞した閉塞状態においてドアハンドル７に対向する部分に窪み部７ａが設けられている。使用者は、ドア５を開放する場合には、この窪み部７ａに手指を挿入することで、ドアハンドル７を裏側から手前側に引くようにして容易に操作することができる。
【００１０】
図２に例示するように、洗濯機本体２は、爪部１１０を備えている。本実施形態では、洗濯機本体２は、洗濯機１の正面側から見て、前面開口部４の右側部にドアフック挿入孔部８を備えている。本実施形態では、ドアフック挿入孔部８は、矩形状に開口しており、爪部１１０は、このドアフック挿入孔部８内の奥部に設けられている。一方、ドア５は、ドアフック１２０を備えている。本実施形態では、ドアフック１２０は、ドア５の自由端、つまり、ヒンジ部６によって回動可能に枢支されている端部とは反対側となる端部において、ドア５の裏面から突出するようにして設けられている。ドア５の裏面のうちドアフック１２０が設けられている端部は、ドア５が前面開口部４を閉塞する閉塞状態において、洗濯機本体２のドアフック挿入孔部８に対向する。ドアフック挿入孔部８は、前面開口部４がドア５によって閉塞される際にドアフック１２０が挿入される孔部である。
【００１１】
図３に例示するように、洗濯機１は、洗濯機本体２側に設けられている爪部１１０、および、ドア５側に設けられているドアフック１２０を主体として、ドア５が前面開口部４を閉塞した閉塞状態で当該ドア５をロックするドアロック構造１００を構成している。次に、このドアロック構造１００の構成例について詳細に説明する。
【００１２】
爪部１１０は、係止部の一例である。図４に例示するように、爪部１１０は、そのベースを構成する爪本体部１１１に、爪状突部１１２および回動軸部１１３を一体的に備えた構成となっている。爪状突部１１２は、爪本体部１１２から緩やかに湾曲するようにして延出している。回動軸部１１３は、直線状に延びている。爪状突部１１２は、回動軸部１１３の周方向に沿うようにして緩やかに湾曲している。
【００１３】
図３に例示するように、爪部１１０は、ドアフック挿入孔部８の奥部において、緩やかに湾曲する爪状突部１１２の内側の面を洗濯機１の後側に向けた状態で配置されている。また、爪部１１０は、ドアフック挿入孔部８の奥部において、回動軸部１１３を中心に矢印Ｒ１，Ｒ２方向に回動可能に設けられている。また、ドアフック挿入孔部８の奥部には、コイルばね９が設けられている。このコイルばね９は、付勢部材の一例であり、回動可能な爪部１１０を矢印Ｒ１方向に付勢している。このように付勢されている爪部１１０は、当該爪部１１０に矢印Ｒ２方向に向かう外力が与えられることに応じて、コイルばね９の付勢力に抗しながら、矢印Ｒ２方向に回動するようになっている。つまり、爪部１１０は、コイルばね９の付勢力によって基本的には回動が許容されないように設けられているが、所定以上の大きさの外力、つまり、コイルばね９の付勢力を超える力が与えられることに応じて、その回動が許容されるように構成されている。
【００１４】
なお、本実施形態では、ドアフック挿入孔部８の入口部には、傾斜壁部８ａが設けられている。この場合、傾斜壁部８ａは、ドアフック挿入孔部８の入口部のうち前面開口部４側となる内側部分に設けられている。そして、この傾斜壁部８ａは、ドアフック挿入孔部８に対するドアフック１２０の挿入方向Ｄ１および抜去方向Ｄ２に対し傾斜しており、また、ドアフック挿入孔部８に対するドアフック１２０の挿入方向Ｄ１および抜去方向Ｄ２に直交する方向に対しても傾斜した壁部となっている。ここで、ドアフック挿入孔部８に対するドアフック１２０の挿入方向Ｄ１および抜去方向Ｄ２は、洗濯機１の前後方向に沿った方向となっている。また、ドアフック挿入孔部８に対するドアフック１２０の挿入方向Ｄ１および抜去方向Ｄ２に直交する方向は、洗濯機１の左右方向に沿った方向となっている。
【００１５】
また、傾斜壁部８ａの後側には、後面壁部８ｂが設けられている。後面壁部８ｂは、ドアフック挿入孔部８に対するドアフック１２０の挿入方向Ｄ１および抜去方向Ｄ２、この場合、洗濯機１の前後方向に対し直交する壁部となっている。また、後面壁部８ｂは、ドアフック挿入孔部８に対するドアフック１２０の挿入方向Ｄ１および抜去方向Ｄ２に直交する方向、この場合、洗濯機１の左右方向に平行な壁部となっている。
【００１６】
このように構成される爪部１１０に対し、ドアフック１２０は、図５に例示するように、ドアフック本体部１２１と、回動軸部１２２と、を一体的に備えた構成となっている。ドアフック本体部１２１は、全体的に長尺な矩形状をなしている。ドアフック本体部１２１は、その先端部に、突出部１２３および係止穴部１２４を備えている。
【００１７】
突出部１２３は、接触阻止部の一例であり、ドアフック本体部１２１の先端部から当該ドアフック本体部１２１の長手方向に直交する方向に向かって山状に突出している。また、本実施形態では、突出部１２３は、複数、この場合、２つ設けられており、ドアフック本体部１２１の先端部において、回動軸部１２２の軸方向に沿って相互に所定の隙間を有して対を成すように設けられている。また、これら複数の突出部１２３は、相互に同じ形状を成している。
【００１８】
また、突出部１２３の先端側の面は、ドアフック本体部１２１の長手方向およびドアフック本体部１２１の長手方向に直交する方向の双方に対し傾斜する傾斜面１２３ａとなっている。この傾斜面１２３ａは、ドアフック１２０のドアフック挿入孔部内への挿入を円滑にする挿入円滑部の一例である。また、突出部１２３の基端側の面も、ドアフック本体部１２１の長手方向およびドアフック本体部１２１の長手方向に直交する方向の双方に対し傾斜する傾斜面１２３ｂとなっている。この傾斜面１２３ｂは、ドアフック１２０のドアフック挿入孔部内からの抜去を円滑にする抜去円滑部の一例である。
【００１９】
本実施形態では、傾斜面１２３ａは、ドアフック本体部１２１の長手方向に対し、傾斜面１２３ｂよりも緩やかに傾斜した構成となっている。即ち、傾斜面１２３ｂは、ドアフック本体部１２１の長手方向に対しほぼ直交する角度で傾斜した構成となっている。また、本実施形態では、傾斜面１２３ａの方が傾斜面１２３ｂよりも長い傾斜面となっている。
【００２０】
係止穴部１２４は、被係止部の一例であり、ドアフック本体部１２１の先端部を、当該ドアフック本体部１２１の長手方向に直交する方向に沿って貫通している。本実施形態では、係止穴部１２４は、２つの突出部１２３の間に設けられており、ほぼ矩形状に開口している。
【００２１】
回動軸部１２２は、直線状に延びている。ドアフック本体部１２１の基端部は、この回動軸部１２２の長手方向の一端側寄りに接続されている。また、回動軸部１２２の軸心方向は、ドアフック本体部１２１の長手方向と直交した構成となっている。なお、ドアフック本体部１２１の中間部分、この場合、係止穴部１２４と回動軸部１２２との間となる部分には、段部１２５が設けられている。この段部１２５は、係止穴部１２４に連続している。
【００２２】
図３に例示するように、ドアフック１２０は、ドア５の右端部において、回動軸部１２２を中心に矢印Ｒ３，Ｒ４方向に回動可能に設けられている。また、ドア５の内部には、図示しないコイルばねが設けられている。このコイルばねは、回動可能なドアフック１２０を矢印Ｒ３方向に付勢している。このように付勢されているドアフック１２０は、使用者によってドアハンドル７が操作されることに応じて、図示しないコイルばねの付勢力に抗しながら、矢印Ｒ４方向に回動するようになっている。また、ドアフック１２０は、ドアハンドル７が操作されない状態であっても、当該ドアフック１２０に矢印Ｒ４方向に向かう外力、つまり、図示しないコイルばねの付勢力を超える力が与えられることに応じて、矢印Ｒ４方向に回動するようになっている。
【００２３】
次に、上述のように構成されるドアロック構造１００を備える洗濯機１において、ドア５により前面開口部４を閉塞する場合、ドアハンドル７の操作によりドア５を開いて前面開口部４を開放する場合、および、洗濯機本体２の内部からドア５を開いて前面開口部４を開放する場合について、それぞれ説明する。
【００２４】
（ドア５により前面開口部４を閉塞する場合）
図６に例示するように、ドア５を閉塞方向に回動させて前面開口部４を閉塞する過程においては、ドア５の閉塞方向への回動に伴い、ドア５側のドアフック１２０の先端部が洗濯機本体２側のドアフック挿入孔部８内に徐々に挿入されていく。このとき、ドアフック１２０のドアフック挿入孔部８内への進入に伴い、ドアフック１２０の突出部１２３の傾斜面１２３ａがドアフック挿入孔部８の傾斜壁部８ａに当接しながら摺動する。そのため、ドアフック１２０の突出部１２３がドアフック挿入孔部８の傾斜壁部８ａによって押されるような状態となり、これに伴い、図７に例示するように、ドアフック１２０が矢印Ｒ４方向に徐々に回動するようになる。このとき、ドアフック１２０のドアフック挿入孔部８内への進入が進むにつれて、ドアフック１２０は、矢印Ｒ４方向に大きく回動する。つまり、ドアフック１２０は、ドアフック本体部１２１の側部から突出する突出部１２３の突出量の分、矢印Ｒ４側に大きく回動されるようになっている。
【００２５】
そして、ドア５の閉塞方向への回動に伴い、ドアフック１２０の突出部１２３がドアフック挿入孔部８の傾斜壁部８ａの後端部よりも後側まで進むと、ドアフック挿入孔部８の傾斜壁部８ａによるドアフック１２０の突出部１２３の押圧作用が解除され、これにより、図示しないドア５側のコイルばねの付勢力によってドアフック１２０が矢印Ｒ３方向に回動する。これにより、図８に例示するように、ドアフック１２０の係止穴部１２４に爪部１１０の爪状突部１１２が係止する状態となり、ドア５が前面開口部４を閉塞する閉塞状態でロックされる。
【００２６】
また、このとき、ドアフック１２０の突出部１２３の傾斜面１２３ｂに、ドアフック挿入孔部８の傾斜壁部８ａの後面壁部８ｂが係止するようになる。つまり、ドア５は、ドアフック１２０の係止穴部１２４に爪部１１０の爪状突部１１２が係止することに加えて、さらに、ドアフック１２０の突出部１２３の傾斜面１２３ｂにドアフック挿入孔部８の傾斜壁部８ａの後面壁部８ｂが係止することによってもロックされるようになっている。ここで、爪部１１０の爪状突部１１２は、洗濯機本体２側に設けられる第１係止部の一例であり、ドアフック１２０の係止穴部１２４は、ドアフック１２０側に設けられる第１被係止部の一例である。また、ドアフック挿入孔部８の傾斜壁部８ａの後面壁部８ｂは、洗濯機本体２側に設けられる第２係止部の一例であり、ドアフック１２０の突出部１２３の傾斜面１２３ｂは、ドアフック１２０側に設けられる第２被係止部の一例である。
【００２７】
以上に説明した通り、ドア５が前面開口部４を閉塞する過程において、ドアフック１２０の突出部１２３は、ドアフック挿入孔部８の傾斜壁部８ａに当接することで当該ドアフック１２０を矢印Ｒ４方向に大きく回動させる。これにより、ドアフック１２０の突出部１２３は、ドア５が前面開口部４を閉塞する過程において、爪部１１０の爪状突部１１２がドアフック１２０の係止穴部１２４に接触することを阻止するようになっている。
【００２８】
（ドアハンドル７の操作によりドア５を開いて前面開口部４を開放する場合）
詳しい図示は省略するが、使用者がドア５を開く場合には、ドアハンドル７を操作する。そして、このドアハンドル７の操作に連動してドアフック１２０が矢印Ｒ４方向に回動し、これにより、爪部１１０の爪状突部１１２がドアフック１２０の係止穴部１２４に係止した係止状態が解除される。これにより、ドア５のロック状態が解除され、使用者がドア５を開放方向に回動させることで、ドア５を開いて前面開口部４を開放させることができる。
【００２９】
（洗濯機本体２の内部からドア５を開いて前面開口部４を開放する場合）
本実施形態に係る洗濯機１は、洗濯機本体２の内部からもドア５を開いて前面開口部４を開放することができるように構成されている。詳細に説明すると、前面開口部４を閉塞しているドア５に対して、当該ドア５の裏面から所定の大きさの力を与えると、図９に例示するように、抜去方向Ｄ２に移動しようとするドアフック１２０の係止穴部１２４から爪部１１０の爪状突部１１２に、爪部１１０を矢印Ｒ２方向に回動させようとする外力Ｆ１が与えられることになる。
【００３０】
ここで、コイルばね９の付勢力は、基本的には爪部１１０の爪状突部１１２をドアフック１２０の係止穴部１２４に係止する係止状態に維持する強さの付勢力であって、且つ、所定の大きさ以上の力、この場合、７０００ｃＮ以上の力が与えられると、矢印Ｒ２方向への回動が許容される強さの付勢力で設定されている。そのため、前面開口部４を閉塞しているドア５の裏面に、この場合、７０００ｃＮ以上の力が与えられると、ドアフック１２０の係止穴部１２４から爪部１１０の爪状突部１１２に外力Ｆ１が作用するようになり、爪部１１０が矢印Ｒ２方向に回動するようになる。これにより、爪部１１０の爪状突部１１２がドアフック１２０の係止穴部１２４に係止した係止状態が解除される。これにより、ドア５のロック状態が解除され、洗濯機本体２の内部からドア５を押すことによって、ドア５を開いて前面開口部４を開放させることができる。
【００３１】
また、図９に例示するように、本実施形態に係る洗濯機１によれば、ドア５が前面開口部４を閉塞した閉塞状態において、ドアフック１２０の回動軸部１２２の軸心１２２ａは、爪部１１０の爪状突部１１２がドアフック１２０の係止穴部１２４に係止する係止位置Ｐ１よりもドア５の外周方向外側、この場合、洗濯機１の右側に設けられた構成となっている。そのため、前面開口部４を閉塞しているドア５の裏面に所定の大きさ以上の力が与えられた場合には、爪部１１０の爪状突部１１２からドアフック１２０の係止穴部１２４に与えられる反作用力、つまり、上述の外力Ｆ１に対する反作用力Ｆ２が、ドアフック１２０を矢印Ｒ４方向に回動させる方向に作用しやすくなり、ドアフック１２０の矢印Ｒ４方向への回動も促進することができる。よって、爪部１１０の矢印Ｒ２方向への回動、および、ドアフック１２０の矢印Ｒ４方向への回動によって、爪部１１０の爪状突部１１２がドアフック１２０の係止穴部１２４に係止した係止状態が一層解除されやすくなり、ドア５を一層開けやすくすることができる。
【００３２】
また、ドア５が開かれる過程において、ドアフック１２０がドアフック挿入孔部８内から抜去されることになるが、このとき、ドアフック挿入孔部８の傾斜壁部８ａの後面壁部８ｂが係止するドアフック１２０の突出部１２３の傾斜面１２３ｂは、ドアフック挿入孔部８の傾斜壁部８ａの後面壁部８ｂに対して傾斜している。そのため、ドアフック１２０のドアフック挿入孔部８内からの抜去を円滑にすることができる。よって、ドアフック挿入孔部８の傾斜壁部８ａの後面壁部８ｂがドアフック１２０の突出部１２３の傾斜面１２３ｂに係止した係止状態が一層解除されやすくなり、ドア５を一層開けやすくすることができる。
【００３３】
本実施形態に係る洗濯機１によれば、長尺な矩形状のドアフック１２０の側部に突出部１２３を設け、ドア５が前面開口部４を閉塞する過程において、この突出部１２３により、ドアフック１２０を大きく回動させて、爪部１１０の爪状突部１１２がドアフック１２０の係止穴部１２４に接触することを阻止するように構成した。この構成によれば、ドアフック挿入孔部８内に挿入される過程で矢印Ｒ４方向に大きく回動したドアフック１２０が矢印Ｒ３方向に復帰する際、つまり、爪部１１０の爪状突部１１２がドアフック１２０の係止穴部１２４に係止する際に、ドアフック１２０の復帰の勢いによって大きな音を発生させることができる。これにより、この音の発生に基づき、爪部１１０の爪状突部１１２がドアフック１２０の係止穴部１２４に係止してドア５が完全に閉まっていることを使用者に認識しやすくすることができる。また、ドアフック１２０が矢印Ｒ３方向に復帰する際に、図示しないドア５側のコイルばねの付勢力によってドアフック１２０を爪部１１０側に勢い良く回動させることができ、爪部１１０に対するドアフック１２０の係止が不完全になってしまうことを回避することができる。
【００３４】
また、洗濯機１によれば、ドア５が前面開口部４を閉塞した閉塞状態において、ドアフック１２０の回動軸部１２２の軸心１２２ａは、爪部１１０の爪状突部１１２がドアフック１２０の係止穴部１２４に係止する係止位置Ｐ１よりもドア５の外周方向外側に設けられている。この構成によれば、前面開口部４を閉塞しているドア５の裏面に所定の大きさ以上の力が与えられることに応じて、ドアフック１２０の矢印Ｒ４方向への回動を促進することができ、ドア５を一層開けやすくすることができる。なお、本実施形態でいう「外周方向外側」とは、あくまでもドア５内において外周方向外側であることを意図しており、ドア５の外部までも含んで外側という概念を意図するものではない。また、本実施形態では、ドア５は円形状である。そのため、「外周方外側」は、「径方向外側」と定義することもできる。
【００３５】
また、洗濯機１によれば、コイルばね９の付勢力は、爪部１１０の爪状突部１１２をドアフック１２０の係止穴部１２４に係止する係止状態に維持することが可能な付勢力であって、且つ、前面開口部４を閉塞しているドア５に対し当該ドア５の裏側から所定の大きさ以上の力が与えられることに応じて、ドアフック１２０の係止穴部１２４によって爪部１１０の爪状突部１１２が回動されることが許容される付勢力で設定されている。このように、基本的にはドア５を閉塞状態でロックしつつも洗濯機本体２の内部からドア５を開くことも可能とする付勢力を、コイルばね９のばね力を選定することによって、つまり、洗濯機１に組み付けるコイルばね９の種類を選定することによって、容易に実現することができる。
【００３６】
また、洗濯機１によれば、直線状に延びるドアフック１２０がドア５の裏面から突出した構成となっている。そのため、このドアフック１２０を、ドア５が自重で前面開口部４を閉塞する方向に動いたときに、ドア５が前面開口部４を閉塞することを阻止する閉塞阻止部として機能させることができる。即ち、ドア５が自重で前面開口部４を閉塞する方向に動いただけでは、ドアフック１２０の先端部がドアフック挿入孔部８の傾斜壁部８ａに当接した状態となり、さらにドア５に閉塞方向への外力が与えられない限り、ドア５が前面開口部４を閉塞してしまうことを阻止することができる。よって、ドア５が意図せず前面開口部４を閉塞してしまうことを回避することができる。
【００３７】
また、洗濯機１によれば、ドアフック１２０の先端部に設けられている突出部１２３の傾斜面１２３ａが、当該ドアフック１２０のドアフック挿入孔部内への挿入を円滑にする挿入円滑部として機能する。これにより、使用者の操作によりドア５で前面開口部４を閉塞する際のドアフック１２０の挿入を円滑にすることができ、ドア５を一層閉めやすくすることができる。
【００３８】
また、洗濯機１によれば、ドアフック１２０の先端部に設けられている突出部１２３の傾斜面１２３ｂが、当該ドアフック１２０のドアフック挿入孔部内からの抜去を円滑にする抜去円滑部として機能する。これにより、前面開口部４を閉塞しているドア５を開く際のドアフック１２０の抜去を円滑にすることができ、ドア５を一層開きやすくすることができる。
【００３９】
なお、本実施形態は、上述した一実施形態に限定されるものではなく、その要旨を逸脱しない範囲で種々の変更や拡張を行うことができる。例えば、爪部１１０およびドアフック１２０の構成は、上述した構成例に限られるものではなく、本実施形態の要旨を逸脱しない範囲で適宜変更して実施することができる。例えば、係止部は、爪状ではない構成であってもよいし、被係止部は、穴状ではない構成であってもよい。また、洗濯機１は、ドア５が自重で前面開口部４を閉塞する方向に動いたときに、当該ドア５が前面開口部４を閉塞することを阻止する専用の閉塞阻止部、例えばピンや突起などを備える構成としてもよい。また、洗濯機１は、衣類に乾燥処理を施すことも可能な、いわゆる洗濯乾燥機であってもよい。また、本実施形態は、洗濯機１に限らず、例えば、衣類に乾燥処理を施す乾燥機、衣類を脱臭する脱臭装置など、衣類に所定の処理を施すように構成された装置であれば、種々の装置に適用することができる。
【００４０】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００４１】
図面中、１は洗濯機（衣類処理装置）、２は洗濯機本体（衣類処理装置本体）、４は前面開口部、５はドア、８はドアフック挿入孔部（ドアフック挿入部）、８ｂは後面壁部（係止部、第２係止部）、９はコイルばね（付勢部材）、１１２は爪状突部（係止部、第１係止部）、１２０はドアフック（閉塞阻止部）、１２３は突出部（接触阻止部）、１２３ａは傾斜面（挿入円滑部）、傾斜面１２３ｂ（被係止部、第２被係止部、抜去円滑部）、１２４は係止穴部（被係止部、第１被係止部）を示す。
【図１】
2020039694.tif 000003
【図２】
2020039694.tif 000004
【図３】
2020039694.tif 000005
【図４】
2020039694.tif 000006
【図５】
2020039694.tif 000007
【図６】
2020039694.tif 000008
【図７】
2020039694.tif 000009
【図８】
2020039694.tif 000010
【図９】
2020039694.tif 000011